(57)【要約】【課題】従来の電気コーヒーメーカーは、一人が一日に数回コーヒーを飲むときは大変煩雑であり、不経済であった。また、コーヒーをコーヒーカップに直接受けることは出来なかった。【解決手段】本発明では専用の紙製袋にコーヒーカップ一杯分の粉コーヒーを詰めたコーヒーバッグをドリッパーに入れてコーヒーを抽出し、コーヒーをコーヒーカップに直接受けることが出来る。コーヒーカップ一杯分を抽出したとき、ヒータの通電と水の供給を自動的に停止し、次のコーヒーカップにコーヒーを入れるときは、抽出開始スィッチによって継続してコーヒー抽出が出来る電気コーヒーメーカーである。また、従来の電気コーヒーメーカーと同様の使用方法も可能である。【選択図】図１
2006130270.tif 000002
【特許請求の範囲】
【請求項１】
ドリップ式電気コーヒーメーカーであって、紙製袋にコーヒーカップ一杯分の粉コーヒーを詰めたコーヒーバッグをドリッパーに入れてコーヒーを抽出し、コーヒーをコーヒーカップに直接受けることが出来る電気コーヒーメーカー。
【請求項２】
請求項１の製品であって、コーヒーカップ一杯分を抽出したとき、ヒータの通電と水の供給を自動的に停止し、次のコーヒーカップにコーヒーを入れるときに、抽出開始スィッチによって継続してコーヒー抽出が出来る電気コーヒーメーカー。
【請求項３】
請求項１の製品であって、コーヒーサーバーにコーヒーを受けるときは、コーヒーカップ用のアダプターを取り外して、切換スィッチでコーヒーサーバー用に切り換えて、水容器の水が無くなるまで連続してコーヒー抽出が出来る電気コーヒーメーカー。
【発明の詳細な説明】
【技術分野】
【０００１】  本発明はドリップ式の電気コーヒーメーカーの改善に係り、コーヒー抽出量をコントロールしてコーヒーをコーヒーカップに直接受けることができる。また、粉コーヒーを本発明の紙製袋に詰めてコーヒー抽出を行うコーヒーメーカーを提供するものである。
【背景技術】
【０００２】  図４は従来のドリップ式の電気コーヒーメーカーの構成を示すブロック図である。このようなコーヒーメーカーでは水容器ｂに入れた水ｃは重力によって水パイプｇに送られる。【０００３】  水パイプｇはヒータｈの中を通るように配設されており、ヒータｈによって加熱された水ｃは、そこで熱湯となって発生する圧力によって、ドリッパーｋに送られ、コーヒーを抽出する構成である。【０００４】  粉コーヒーｌはフィルターｊに入れてドリッパーｋにセットされ、抽出したコーヒーはコーヒーサーバーｍによって受ける。【０００５】  このようにして水容器ｂの水ｃが無くなるまでコーヒー抽出を行い、コーヒーサーバーｍにコーヒーを溜める。【０００６】  このような電気コーヒーメーカーでは一人分のコーヒー抽出や直接コーヒーカップに受けることは不経済であり煩雑であった。【０００７】
【特許文献１】  特開平１１−２７６３５１号公報
【特許文献２】  特開２００３−２２５１６４号公報
【発明の開示】
【発明が解決しようとする課題】
【０００８】  従来の電気コーヒーメーカーではコーヒーカップ一杯のコーヒーを抽出するときは、水容器に一杯分の水と、フィルターに一杯分の粉コーヒーを入れて抽出し、コーヒーサーバーに受けたコーヒーをコーヒーカップに移し返さなければならない。【０００９】  また数人分のコーヒーを抽出するときも同様であり、水と粉コーヒーを必要分だけ入れてコーヒーを抽出し、コーヒーサーバーに受けたコーヒーをコーヒーカップに移し返さなければならない。【００１０】  コーヒーは一人で飲むときと、複数人数で飲むときがあるが、むしろ一人で飲むことが多いし、一日何度も飲むことが多い。【００１１】  しかし、一人で一日何度もコーヒーを飲むときは、従来の電気コーヒーメーカーでは大変不便である。再度コーヒーを飲みたいときは、新しいフィルターに交換し、粉コーヒーを入れ、再度水容器に水を入れなければならなかった。【００１２】  そこで本発明では、コーヒー一人分を一日何度でも手軽に抽出でき、コーヒーカップに直接受けることができる電気コーヒーメーカーを提供するものである。
【課題を解決するための手段】
【００１３】  上記課題を解決するために、本発明では従来のフィルターｊの代わりとなる紙製袋１３に一人分の粉コーヒー１５を詰めたコーヒーバッグ２１を使用する。コーヒーバッグ２１は一人分抽出のときは一個、三人分抽出のときは三個をドリッパー１４に入れる。【００１４】  水容器１には水２を許容容量いっぱい入れて、切換スィッチ２４でコーヒーカップ用、またはコーヒーサーバー用に切り換えできるようにする。コーヒーカップ用に切り換えたときは、コーヒーカップ一杯分のコーヒー抽出後に、ヒータ９の通電と水２の供給を自動的に停止する。【００１５】  数人分をコーヒーカップ１９に直接受けるときは、一杯目のコーヒーカップ１９を次のコーヒーカップ１９と入れ換え、抽出開始スィッチ２５を再度ＯＮすると次のコーヒー抽出が出来る。【００１６】  コーヒーカップ１９に直接コーヒーを受けるために、コーヒーの出口ノズル２６はコーヒーカップ１９の近くに構成する。そのためにコーヒーカップ用アダプター１８を取り付ける。【００１７】  また、数人分のコーヒーをコーヒーサーバー１６に受けることも出来る。切換スィッチ２４でコーヒーサーバー用に切り換えて、水容器１に必要水量を入れる。従来のコーヒーメーカーと同様に水容器１の水２が無くなるまで抽出し、コーヒーサーバー１６に溜まる。
【発明の効果】
【００１８】  一日に何杯もコーヒーを飲む愛好者は多いが、従来のコーヒーメーカーは一杯のコーヒーを一日に何回も入れるためには煩雑さがあった。本発明のコーヒーメーカーはコーヒーをコーヒーカップ１９に直接受けることが出来て、一人分のコーヒーを手軽に入れることが出来る。【００１９】  一人分を一日に何回も入れるときは、水容器１には水２が残っているため、前回使ったコーヒーバッグ２１を捨て、新しいコーヒーバッグ２１と取り換えて、抽出開始スィッチ２４を再度ＯＮするだけでよい。
【発明を実施するための最良の形態】
【実施例】
【００２０】  以下、図１に基づいて本発明を説明する。図１は本発明の一実施例であり、コーヒー抽出を説明するブロック図である。【００２１】  着脱可能な水容器１に水２を入れてコーヒーメーカー本体にセットし、ドリッパー１４の下部にコーヒーカップ用アダプター１８が取り付けられ、コーヒーカップ１９はプレート２０上に置かれ、コーヒーバッグ２１はドリッパー１４に入れる。【００２２】  コーヒーバッグ２１は一人分につき一袋であり、図３のように一人分の粉コーヒー１５を紙製袋１３に詰めたものである。紙製袋１３はフィルターの働きをするので、従来のコーヒーメーカーで使用していたようなフィルターｊは不要である。【００２３】  ここで、三人分のコーヒーをコーヒーカップ１９に直接入れる場合を説明する。水容器１には許容容量いっぱいの水２があり、コーヒーバッグ２１はドリッパー１４に三袋入れる。【００２４】  コーヒー抽出を開始するときは、電源スィッチ２３をＯＮし、切換スィッチ２４でコーヒーカップ用に切り換えて、抽出開始スィッチ２５をＯＮする。切換スィッチ２４はコーヒーカップ用とコーヒーサーバー用に切り換えが出来る。【００２５】  ＰＣＢ１１（コントロール回路）はエアーポンプ１０のＯＮ／ＯＦＦ、ヒータ９のＯＮ／ＯＦＦ、そしてコーヒーカップ一杯分の抽出時間等をコントロールする。その動作の設定を行うスィッチパネル２２はコーヒーメーカー本体の外観部に設置されている。【００２６】  実施例では水２の流出をＯＮ／ＯＦＦするために、エアーポンプ１０を備えている。エアーポンプ１０で空気が水容器１に送られると水２は水パイプＢ７へ流出する。水パイプＢ７はヒータ９の中を通るように配設されているため、そこで水２は加熱されて圧力が高くなり、熱湯となった水２はドリッパー１４へ供給され、ドリッパー１４にセットされたコーヒーバッグ２１でコーヒーが抽出される。【００２７】  コーヒーカップ一杯分のコーヒー抽出後、ヒータ９の通電と水２の供給は自動的に停止する。そこで二杯目のコーヒーカップ１９をセットし、抽出開始スィッチ２５を再度ＯＮすると二杯目のコーヒー抽出を開始する。三杯目のコーヒーも二杯目と同じ手順で行う。【００２８】  コーヒーの愛好者は一日に数回コーヒーを飲みたいが、従来の電気コーヒーメーカーでは、その都度水容器ｂに水ｃを入れ、新しいフィルターｊをセットして、粉コーヒーｌを入れなければならない。またコーヒーを直接コーヒーカップに受けることは出来ない。このような煩雑さは、結果的に電気コーヒーメーカーを使用しなくなり、コーヒーが簡単に入れられるインスタントコーヒーを飲む人が多かった。【００２９】  本発明の電気コーヒーメーカーは一人で一日に数回コーヒーを飲む場合も大変便利である。この場合は、前述の三人分のコーヒーを直接コーヒーカップ１９に入れるときと同様の手順で行うことが出来る。ただし、コーヒーバッグ２１は一袋入れ、コーヒーカップ一杯毎に新しいコーヒーバッグ２１に取り換える必要がある。【００３０】  本発明のコーヒーメーカーは従来のコーヒーメーカーと同様に数人分のコーヒーをコーヒーサーバー１６に受けることも出来る。【００３１】  図２はコーヒーサーバー１６にコーヒーを受けるときの一実施例である。コーヒーカップ用アダプター１８を取り外し、コーヒーサーバー１６をセットする。【００３２】  水容器１に水２とドリッパー１４にコーヒーバッグ２１を必要人数分入れ、切換スィッチ２４でコーヒーサーバー用に切り換えて、抽出開始スィッチ２５をＯＮするとコーヒー抽出が開始され、水容器１の水２が無くなるまで抽出を継続し、コーヒーサーバー１６にコーヒーが溜まる。【００３３】  このとき、従来のフィルターｊと粉コーヒーｌをドリッパー１４に入れてコーヒー抽出をすることも可能である。
【図面の簡単な説明】
【００３４】
【図１】本発明の電気コーヒーメーカーの基本構成を現し、コーヒーカップにコーヒーを受けるときのブロック図である。
【図２】本発明の電気コーヒーメーカーの基本構成を現し、コーヒーサーバーにコーヒーを受けるときのブロック図である。
【図３】本発明の電気コーヒーメーカーで使用するコーヒーバッグを現した図である。
【図４】従来の電気コーヒーメーカーの基本構成を現したブロック図である。
【符号の説明】
【００３５】１    水容器                        ２    水
３    キャップ                      ４    エアーパイプＡ
５    エアーパイプＢ                ６    水パイプＡ
７    水パイプＢ                    ８    流路接続部
９    ヒータ                        １０  エアーポンプ
１１  ＰＣＢ                        １２  湯受け
１３  紙製袋                        １４  ドリッパー
１５  粉コーヒー                    １６  コーヒーサーバー
１７  逆流防止部                    １８  アダプター
１９  コーヒーカップ                ２０  プレート
２１  コーヒーバッグ                ２２  スィッチパネル
２３  電源スィッチ                  ２４  切換スィッチ
２５  抽出開始スィッチ              ２６  出口ノズル
【００３６】ａ    蓋                            ｂ    水容器
ｃ    水                            ｄ    開閉弁
ｅ    流路接続部                    ｆ    逆流防止部
ｇ    水パイプ                      ｈ    ヒータ
ｉ    湯受け                        ｊ    フィルター
ｋ    ドリッパー                    ｌ    粉コーヒー
ｍ    コーヒーサーバー
【図１】
2006130270.tif 000003
【図２】
2006130270.tif 000004
【図３】
2006130270.tif 000005
【図４】
2006130270.tif 000006